(57)【要約】      （修正有）【課題】滑らかな書き味が得られるボールペン用インキ組成物で、強い筆圧下でも書き味が損なわれることのないボールペン用インキ組成物の提供。【解決手段】着色剤と水と、ミノキシジルとを少なくとも含有するボールペン用インキ組成物。【選択図】なし【特許請求の範囲】
【請求項１】
着色剤と水と、ミノキシジルとを少なくとも含有するボールペン用インキ組成物。
【発明の詳細な説明】
【技術分野】
【０００１】
本発明は、ボールペンに用いるインキ組成物に関するものである。
【背景技術】
【０００２】
筆記部材としてのボールをボールホルダーの先端より一部突出して抱持した所謂ボールペンチップにおいては、インキの潤滑が不十分な場合、ボールとボール受け座の金属表面の摩擦が運筆時の負荷となり、書き味が損なわれることがあった。従来より滑らか書き味のボールペン用インキを得るために、インキの粘度を調整したり、潤滑性を付与する材料をインキに添加したりする試みがなされてきた。
増粘剤の添加量を調整してインキの粘度を低くすると、筆記時にボールの回転に対する抵抗力が小さくなるので、比較的滑らかな書き味が得られるという利点がある。しかし、インキが低粘度であるために、ボールとボール受座との間に形成されているインキ膜が筆圧によって容易に移動してしまい、結局はボールとボール受け座が接触して、書き味を損ねることがあり、十分な効果は得られていなかった。
そこで、水性インキ組成物中にリン酸エステルを添加し、インキ組成物の潤滑性を向上させてボール受け座の摩耗を低減する試みがなされてきた（特許文献１）。
【先行技術文献】
【特許文献】
【０００３】
【特許文献１】特公昭６１−３８２２６号公報
【発明の開示】
【発明が解決しようとする課題】
【０００４】
特許文献１に記載のリン酸エステル型活性剤は、リン酸基がボールやボール受座の金属表面に結合し、アルキル基をインキ中に向けた形で存在するが、高い潤滑性を付与する材料ほどアルキル基の疎水性が強いので、リン酸エステル型活性剤で覆われたボールやボール受座などの金属表面とインキ中の主成分である水や有機溶媒とが親和しにくくなる。これにより、ボールやボール受座の金属表面へのインキの付着力が低下し、インキが金属表面へ濡れにくくなるので、筆記時に筆圧や筆記角度や筆記速度やボールの回転方向が変化して、インキの吐出の流れに何らかの変化を生じたり、強い力がかかったりしたときなど、ボールとボール受座との間にインキ膜が存在しない部分が生じ、瞬間的にボールとボール受座が接触し、書き味を損なう問題があった
【０００５】
本発明の目的は、滑らかな書き味が得られるボールペン用インキ組成物で、強い筆圧下でも書き味が損なわれることのないボールペン用インキ組成物を提供することである。
【課題を解決するための手段】
【０００６】
即ち、本発明は、着色剤と、水と、ミノキシジルとを少なくとも含有するボールペン用水性インキ組成物である。
【発明の効果】
【０００７】
本発明のミノキシジルは、ピリミジンの３位の環内窒素にオキシド基が結合していて、強く分極した状態にあり、ボールペンチップのボールやボール受け座の金属表面に強く結合する。さらに２位、４位に結合したアミノ基は芳香環で電子共鳴して分極するため、１位の環内窒素とともに芳香環を金属表面と平行に定着させることができる。さらに６位に結合したピペリジンの環内窒素も電子共鳴によって分極し、金属表面へと結合する。これによりボール表面をミノキシジル分子が面で強固に覆うこととなるので、強筆圧下でもボールペンチップのボールとボール受け座が接触するのを防ぎ、滑らかな書き味が維持されるものと推察される。
【発明を実施するための形態】
【０００８】
以下に発明を詳細に説明する。
ミノキシジルは、インキ組成物に添加することにより、ボールペンチップのボールとボール受け座の金属表面に結合して、強筆圧下でもボールとボール受け座の筆記時の接触を抑制して滑らかな書き味を得るために用いるものである
ミノキシジルの市販品としては、和光純薬工業（株）製や東京化成工業（株）製が挙げられる。
ミノキシジルは、インキ全量に対して０．１〜５重量％添加するのが好ましい。０．１重量％未満では、ボールとボール受け座の接触による書き味の低下の抑制に十分な効果が得られないことがある。また５重量％以上添加しても、ボールとボール受け座の接触による書き味の低下を抑制する効果は変わらない。
【０００９】
着色剤は、従来公知の染料及び／又は顔料が単独若しくは混合して使用できる。
水溶性染料としては、直接染料、酸性染料、塩基性染料等のいずれも用いることができる。具体例としては、Ｃ．Ｉ．ダイレクトブラック１７、同１９、同２２、同３２、同３８、同５１、同７１、Ｃ．Ｉ．ダイレクトイエロー４、同２６、同４４、同５０、Ｃ．Ｉ．ダイレクトレッド１、同４、同２３、同３１、同３７、同３９、同７５、同８０、同８１、同８３、同２２５、同２２６、同２２７、Ｃ．Ｉ．ダイレクトブルー１、同１５、同４１、同７１、同８６、同８７、同１０６、同１０８、同１９９等の直接染料や、Ｃ．Ｉ．アシッドブラック１、同２、同２４、同２６、同３１、同５２、同１０７、同１０９、同１１０、同１１９、同１５４、Ｃ．Ｉ．アシッドイエロー１、同７、同１７、同１９、同２３、同２５、同２９、同３８、同４２、同４９、同６１、同７２、同７８、同１１０、同１２７、同１３５、同１４１、同１４２、Ｃ．Ｉ．アシッドレッド８、同９、同１４、同１８、同２６、同２７、同３５、同３７、同５１、同５２、同５７、同８２、同８３、同８７、同９２、同９４、同１１１、同１２９、同１３１、同１３８、同１８６、同２４９、同２５４、同２６５、同２７６、Ｃ．Ｉ．アシッドバイオレット１５、同１７、同４９、Ｃ．Ｉ．アシッドブルー１、同７、同９、同１５、同２２、同２３、同２５、同４０、同４１、同４３、同６２、同７８、同８３、同９０、同９３、同１００、同１０３、同１０４、同１１２、同１１３、同１５８、Ｃ．Ｉ．アシッドグリーン３、同９、同１６、同２５、同２７、Ｃ．Ｉ．アシッドオレンジ５６等の酸性染料、Ｃ．Ｉ．フードイエロー３等の食用染料、マラカイトグリーン（Ｃ．Ｉ．４２０００）、ビクトリアブルーＦＢ（Ｃ．Ｉ．４４０４５）、メチルバイオレットＦＮ（Ｃ．Ｉ．４２５３５）、ローダミンＦ４Ｇ（Ｃ．Ｉ．４５１６０）、ローダミン６ＧＣＰ（Ｃ．Ｉ．４５１６０）等の塩基性染料等が挙げられる。
【００１０】
また、着色剤として顔料を用いる場合は、従来公知の有機顔料と無機顔料を使用することができる。有機顔料としては、Ｃ．Ｉ．ＰＩＧＭＥＮＴ  ＲＥＤ２、同３、同５、同１７、同２２、同３８、同４１、同４８：２、同４８：３、同４９、同５０：１、同５３：１、同５７：１、同５８：２、同６０、同６３：１、同６３：２、同６４：１、同８８、同１１２、同１２２、同１２３、同１４４、同１４６、同１４９、同１６６、同１６８、同１７０、同１７６、同１７７、同１７８、同１７９、同１８０、同１８５、同１９０、同１９４、同２０２、同２０６、同２０７、同２０９、同２１６、同２４５、同２５４、同２５５、同２５６、同２７２、Ｃ．Ｉ．ＰＩＧＭＥＮＴ  ＯＲＡＮＧＥ  ５、同１０、同１３、同１６、同３６、同４０、同４３、同６１、同６４、同７１、同７３、Ｃ．Ｉ．ＰＩＧＭＥＮＴ  ＶＩＯＬＥＴ  １９、同２３、同３１、同３３、同３６、同３７、同３８、同５０、Ｃ．Ｉ．ＰＩＧＭＥＮＴ  ＢＬＵＥ  ２、同１５、同１５：１、同１５：２、同１５：３、同１５：４、同１５：５、同１５：６、同１６、同１７、同２２、同２５、同６０、同６６、Ｃ．Ｉ．ＰＩＧＭＥＮＴ  ＢＲＯＷＮ  ２３、同２５、同２６、Ｃ．Ｉ．ＰＩＧＭＥＮＴ  ＹＥＬＬＯＷ  １、同３、同１２、同１３、同２４、同８３、同９３、同９４、同９５、同９７、同９９、同１０８、同１０９、同１１０、同１１７、同１２０、同１２８、同１３９、同１４７、同１５１、同１５３、同１６６、同１６７、同１７３、Ｃ．Ｉ．ＰＩＧＭＥＮＴ  ＧＲＥＥＮ  ７、同１０、同３６、同３７、Ｃ．Ｉ．ＰＩＧＭＥＮＴ  ＢＬＡＣＫ  ７等が挙げられる。
【００１１】
無機顔料としては、ファーネスブラック、チャンネルブラック、サーマルブラック、アセチレンブラック等のカーボンブラック、黒色酸化鉄、黄色酸化鉄、赤色酸化鉄、硫酸バリウム、カドミウムレッド、クロムイエロー、黄土、カドミウムイエロー、バリウム黄、群青、紺青、コバルトブルー、チタンイエロー、ターコイズ、モリブデートオレンジ、酸化チタン、硫化亜鉛、珪酸亜鉛、硫酸亜鉛カドミウム、硫化カルシウム、硫化ストロンチウム、タングステン酸カルシウム等が挙げられる。
【００１２】
カーボンブラックの具体例としては、三菱カーボンブラック＃１０Ｂ、同＃２０Ｂ、同＃１４、同＃３０、同＃３３、同＃４０、同＃４４、同＃４５、同＃４５Ｌ、同＃５０、同＃５５、同＃９５、同＃２６０、同＃９００、同＃１０００、同＃２２００Ｂ、同＃２３００、同＃２３５０、同＃２４００Ｂ、同＃２６５０、同＃２７００、同＃４０００Ｂ、同ＣＦ９、同ＭＡ８、同ＭＡ１１、同ＭＡ７７、同ＭＡ１００、同ＭＡ２２０、同ＭＡ２３０、同ＭＡ６００及びＭＣＦ８８（以上、三菱化学（株）製）、モナーク１２０、モナーク７００、モナーク８００、モナーク８８０、モナーク１０００、モナーク１１００、モナーク１３００、モナーク１４００、モーガルＬ、リーガル９９Ｒ、リーガル２５０Ｒ、リーガル３００Ｒ、リーガル３３０Ｒ、リーガル４００Ｒ、リーガル５００及びリーガル６６０Ｒ（以上、米国、キャボット  コーポレーション社製）、プリンテックスＡ、プリンテックスＧ、プリンテックスＵ、プリンテックスＶ、プリンテックス５５、プリンテックス１４０Ｕ、プリンテックス１４０Ｖ、プリンテックス３５、プリンテックス４０、プリンテックス４５、プリンテックスプリンテックス８５、ナインペックス３５、スペシャルブラック４，スペシャルブラック４Ａ、スペシャルブラック５、スペシャルブラック６，スペシャルブラック１００、スペシャルブラック２５０、スペシャルブラック３５０、スペシャルブラック５５０、カラーブラックＦＷ１、カラーブラックＦＷ２、カラーブラックＦＷ２Ｖ、カラーブラックＦＷ１８、カラーブラックＦＷ２００、カラーブラックＳ１５０、カラーブラックＳ１６０及びカラーブラックＳ１７０（以上、デグサ  ジャパン（株）製）、ラーベン５０００ウルトラＩＩ、ラーベン２５００ウルトラ、ラーベン１２５０、ラーベン７６０ウルトラ（以上、コロンビアカーボン日本（株）製）等が挙げられる。
【００１３】
上記の着色剤は、単独あるいは複数混合して使用できる。使用量はインキ組成物全量に対して１．０重量％以上２０．０重量％以下が好ましい。１．０重量％未満では濃度が低すぎて筆跡が確認し難いこともあり、２０．０重量％を超えるとインキ組成物粘度が高くなり筆記具ペン先からのインキ吐出が不十分になることがある。
【００１４】
溶剤としては水、有機溶剤が使用できる。
有機溶剤としては従来ボールペン用インキに使用されるものが使用できる。具体例としては、エチレングリコール、ジエチレングリコール、トリエチレングリコール、プロピレングリコール、ポリエチレングリコール、ヘキシレングリコール、１，３−ブチレングリコール、チオジエチレングリコール、グリセリン等のグリコール類、エチレングリコールモノメチルエーテル、プロピレングリコールモノメチルエーテル、ジエチレングリコールモノメチルエーテル、ジプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル等のグリコールエーテル類、２−ピロリドン、Ｎ−メチル−２−ピロリドン等が挙げられる。これらの水溶性有機溶媒は、単独あるいは混合して使用することができる。
【００１５】
着色剤を紙面に定着させるためなどで各種樹脂を併用することもできる。例えば、セラック、スチレン−マレイン酸共重合体及びその塩、スチレン−アクリル酸共重合体及びその塩、α−メチルスチレン−アクリル酸共重合体及びその塩、アクリル樹脂、マレイン酸樹脂、尿素樹脂、ポリビニルブチラール、ポリビニルアセタール、ポリアミド樹脂、エポキシ樹脂、ポリビニルアルキルエーテル、クマロン−インデン樹脂、ロジン系樹脂やその水素添加物、ケトン樹脂、ポリアクリル酸ポリメタクリル酸共重合物などが挙げられる。
【００１６】
また、上記成分の他に必要に応じて、ｐＨ調節剤、防腐剤もしくは防黴剤、防錆剤、潤滑剤もしくは湿潤剤、受け座摩耗防止剤等の添加剤を加えることができる。ｐＨ調節剤として、水酸化ナトリウム、水酸化リチウムなどアルカリ金属の水酸化物、アンモニア、尿素、モノエタノールアミン、ジエタノールアミン、トリエタノールアミン、アミノメチルプロパンジオールなどの塩基性物質や、硫酸などの酸性物質、トリポリ燐酸ナトリウム、炭酸ナトリウムなど炭酸やリン酸のアルカリ金属塩など、防腐剤もしくは防黴剤としては、デヒドロ酢酸ナトリウム、１，２−ベンゾイソチアゾリン−３−オン、モルホリン、モルホリン誘導体、フェノール、ナトリウムオマジン、ペンタクロロフェノールナトリウム、２，３，５，６‐テトラクロロ‐４（メチルスルフォニル）ピリジン、安息香酸ナトリウムなど安息香酸やソルビン酸やデヒドロ酢酸のアルカリ金属塩、ベンズイミダゾール系化合物など、防錆剤としては、ベンゾトリアゾール、ジシクロヘキシルアンモニウムナイトライト、ジイソプロピルアンモニウムナイトライト、トリルトリアゾールなど、潤滑剤もしくは湿潤剤としては、ひまし油、ひまし油のポリオキシエチレン付加物、ポリオキシエチレンアルキルアミン、二硫化モリブデン、尿素、エチレン尿素、ポリオキシエチレンラウリルエーテルなどポリオキシエチレンやポリオキシプロピレンもしくはポリオキシエチレンポリオキシプロピレンの誘導体、テトラグリセリルジステアレートなどグリセリンやジグリセリン或いはポリグリセリンの誘導体、ソルビタンモノオレートなどソルビタン誘導体、パーフルオロアルキルリン酸エステルなどフッ素化アルキル基を有する界面活性剤、ジメチルポリシロキサンのポリエチレングリコール付加物などのポリエーテル変成シリコーン、受け座摩耗防止剤の一例としては、アルミナ、炭化珪素、酸化クロム、炭化ホウ素、ジルコン、セン晶石、ヒスイ石、フッ化カルシウム、タングステンカーバイド、シリカ、ダイヤ、ザクロ石、窒化アルミニウム、窒化珪素などが挙げられる。
【００１７】
インキの製造方法としては従来知られている種々の方法が採用できる。例えば、ボールミル、ビーズミル、ロールミル、ヘンシェルミキサー、プロペラ撹拌機、ホモジナイザー、ニーダー等の装置を使用して作ることが出来る。濾過や遠心分離を行い粗大粒子や気体を除いても良い。製造時に加熱や冷却や加圧や減圧や不活性ガス置換をしても良い。動力は電気でも加圧空気でも良い。これらはそれぞれ単独で使用しても良いし、組み合わせて使用しても良い。
【００１８】
インキを収容するインキタンクは、ポリエチレン、ポリプロピレン、フッ素樹脂、シリコン樹脂等のインキの残量を確認できる透明又は半透明な高分子化合物を使用しても良いが、不透明高分子化合物や金属を使用しても差し支えない。また、インキがインキタンクの内壁に付着することを抑制するためなど、必要に応じてインキタンク内面にシリコン樹脂やフッ素樹脂などを塗布して撥インキ処理をすることもできる。後端開口するインキタンクの場合には、インキの洩れや乾燥を抑制するためにインキ後端の界面に接触させて逆流防止体を配置してもよい。逆流防止体としては不揮発性液体をゲル化したものやスポンジ状のものなど各種公知のものが使用でき、不揮発性液体をゲル化した逆流防止体にさらにプラスチック製のフロートを浸漬するなどしてもよい。
【００１９】
筆記具において、インキ組成物を収容する容器は、ポリエチレン、ポリプロピレン、フッ素樹脂、シリコン樹脂等のインキの残量を確認できる透明又は半透明な高分子化合物が使用できる。容器の内部は中空でも繊維束やスポンジなどの吸蔵体を入れても良い。インキ組成物が容器の内壁に付着することを抑制するためなど、必要に応じて容器内面にシリコン樹脂やフッ素樹脂などを塗布することもできる。後端開口する容器の場合には逆流防止体を配置してもよい。逆流防止体としては不揮発性液体をゲル化したものやスポンジ状のものなど各種公知のものが使用でき、不揮発性液体をゲル化した逆流防止体にさらにプラスチック製のフロートを浸漬するなどしてもよい
【００２０】
本発明のインキは、ボールペン、繊維芯、筆ペン、万年筆など、従来公知の形態の筆記具に使用できる。また、インクジェットプリンター用としても使用できる。
【００２１】
ボールペンの場合は、ボールを回転自在に抱持するボールホルダーの材質には金属や合成樹脂が使用できる。金属としては洋白、真鍮、ステンレス等が、また合成樹脂としてはポリアセタール樹脂、ポリブチレンテレフタレート樹脂、芳香族ナイロン樹脂、変性ポリフェニレンエーテル樹脂、ポリアクリレート樹脂等が用いられる。
ボールペンのボールは、基材としてタングステンカーバイド等からなるいわゆる超硬合金、ステンレス、セラミックス、ルビーなど、ボールホルダーより硬い材料が好適に選択され、更に酸化チタン、酸化アルミニウム、酸化珪素から選ばれる１種もしくは２種以上を少なくとも表面に有するものである。
ボールの直径は０．１ｍｍから２．０ｍｍ程度までがよく使用されているがこれに限定するものではない。またペン先の密閉性を高めるために、ボールホルダー内にコイルスプリング等の弾性体を配置しても良い。
【実施例】
【００２２】
以下、実施例及び比較例に基づき更に詳細に説明する。
（実施例１）
ＷＡＴＥＲＢＬＡＣＫ１９１Ｌ（Ｃ．Ｉ．ダイレクトブラック１９、オリエント化学工業
（株）製）                                                  ５０．０重量部
水                                                          ３２．５重量部
ミノキシジル                                                  １．０重量部
プロピレングリコール                                        １０．０重量部
グリセリン                                                    ５．０重量部
キサンタンガム                                                ０．３重量部
プロクセルＧＸＬ（防黴剤、１、２−ベンゾイソチアゾリン−３−オン、ＩＣＩ社製、英国）                                                          ０．１重量部
ベンゾトリアゾール（防錆剤）                                  １．０重量部
水酸化ナトリウム                                              ０．１重量部
上記成分を、マグネチックスターラーで３０分撹拌した後、１ミクロン糸巻きフィルターを通して黒色インキを得た。
【００２３】
（実施例２）
ＵＮＩＳＰＥＲＳＥ  ＲＥＤ  ２０３０−Ｓ２（界面活性剤分散赤色顔料、チバスペシャリティケミカルズ（株）製）                                  ３０．０重量部
水                                                          ５２．８重量部
ミノキシジル                                                  １．０重量部
エチレングリコール                                            ５．０重量部
グリセリン                                                    ５．０重量部
キサンタンガム                                                ０．１重量部
プロクセルＧＸＬ（防黴剤、１、２−ベンゾイソチアゾリン−３−オン、ＩＣＩ社製、英国）                                                          ０．１重量部
ベンゾトリアゾール（防錆剤）                                  １．０重量部
トリエタノールアミン                                          １．０重量部
上記成分を、プロペラで３０分撹拌した後、１ミクロン糸巻きフィルターを通して赤色インキを得た。
【００２４】
（実施例３）
実施例２のミノキシジルを７．０重量部とし、その分水を減らした以外は実施例２と同様に為して、赤色インキを得た。
【００２５】
（実施例４）
実施例１のミノキシジルを０．１重量部とし、その分水を増やした以外は実施例１と同様に為して、黒色インキを得た。
【００２６】
（実施例５）
実施例１のミノキシジルを０．０５重量部とし、その分水を増やした以外は実施例１と同様に為して、黒色インキを得た。
【００２７】
（比較例１）
実施例１のミノキシジルを除き、水に置き換えた以外は実施例１と同様に為して、黒色インキを得た。
【００２８】
（比較例２）
実施例１のミノキシジルを除き、プライサーフＡ２１２Ｅ（第一工業製薬（株）製、ポリオキシエチレンノニルフェニルエーテルのリン酸モノエステル及びジエステルの混合物）２．５重量部を添加した以外は実施例１と同様に為して、黒色インキを得た。
【００２９】
（比較例３）
実施例１のミノキシジルを除き、プライサーフＭ２０８Ｂ（第一工業製薬（株）製、ポリオキシエチレンラウリルエーテルのリン酸モノエステル及びジエステルの混合物）１．０重量部を添加して、その分水を減らした以外は実施例１と同様に為して、黒色インキを得た。
【００３０】
サンプル作成：実施例１〜５及び比較例１〜３で得たインキ組成物を、ステンレス製のボールペンチップを備えたボールペン（ボール素材：超硬合金、ボール径：０．５ｍｍ、ぺんてる（株）製ハイブリッド、製品符号Ｋ１０５）のリフィルに０．８ｇ程度充填し、インキ界面に上記Ｋ１０５に使用されている逆流防止体組成物を層状に配置した後、インキを遠心脱泡して、試験用ボールペンを作成した。
【００３１】
書き味の評価：一定速度でペンを動かしたときのペンを持つ手にかかる抵抗値、即ち筆記抵抗値が、筆記の際のペンの書き味の良し悪しの重要な要素である。筆記抵抗値の測定は、静・動摩擦測定機（Ｔｒｉｂｏ−ｍａｓｔｅｒ  Ｔｙｐｅ  ＴＬ２０１Ｓａ、（株）トリニティーラボ製）を用いて行った。静・動摩擦測定機は、ペン先を紙面に当てた状態で、筆記用紙をセットした台が設定速度で動くことにより、直線筆記させた時のペンにかかる抵抗値を測定することができる。
上記実施例１〜５および比較例１〜３のインキを充填したサンプル各３本ずつについて、筆記角度７０°、筆記速度７ｃｍ／ｓｅｃ、筆記荷重１００ｇおよび３００ｇで１５ｃｍ直線筆記させて、１秒あたり２００点の筆記抵抗値のデータを採取する。ｎ＝３本の筆記抵抗値の全データの平均値を筆記抵抗値とした。筆記抵抗値が小さいほど、即ち書き味が滑らかであると評価した。
各結果を表１に示す。
【００３２】
【表１】
2014047250.tif 000002
【００３３】
実施例１〜５の水性インキ組成物では、ミノキシジル添加することで、その添加量に因らず、滑らかな書き味が得られ、強い筆圧下でも書き味が損なわれることのないものであった。
比較例１のミノキシジルを添加しない水性インキ組成物では書き味が重く、強い筆圧では非常に大きな筆記抵抗値を示しており、書き味が損なわれるものであった。比較例２、３のリン酸エステルを添加した水性インキ組成物では、１００ｇの荷重では比較的滑らかな書き味が得られてはいるが、強い筆圧では書き味が大きく損なわれるものであった。
【００３４】
以上、詳細に説明したように、本発明のボールペン用インキ組成物は、滑らかな書き味が得られ、強い筆圧下でも書き味が損なわれることのないボールペン用インキ組成物である。